(57)【要約】      （修正有）【課題】ワイヤレスネットワーク設定システムを提供する。【解決手段】第１及び第２ストレージモジュール１０２２、１０４４を含み、ユーザーにモバイルデバイス１０２を通じて電子機器１０４をワイヤレスネットワークのアクセスポイント１０６に接続させるためのワイヤレスネットワーク設定システム１００を開示する。第１ソフトウェア製品１０２２２はモバイルデバイスをコントロールしてワイヤレスネットワークのアクセスポイントモードで稼働することで、Ｗｉ−Ｆｉビーコンパケットをブロードキャストし、Ｗｉ−Ｆｉビーコンパケットのサービスセット識別子欄内の番号に接続しようとするコンフィギュレーションデータの一部分がある。第２ソフトウェア製品１０４４４は電子機器にＷｉ−Ｆｉビーコンパケットを受信させ、Ｗｉ−Ｆｉビーコンパケット内にコンフィギュレーションデータの一部分が含まれるかどうかを識別させ、完全なコンフィギュレーションデータを利用して無線ＬＡＮ接続を確立する。【選択図】図１
0003217133.tif 000002
【実用新案登録請求の範囲】
【請求項１】
ユーザーにモバイルデバイスを通じて電子機器をワイヤレスネットワークのアクセスポイントに接続させるために用いられ、前記ワイヤレスネットワークのアクセスポイントがコンフィギュレーションデータを有し、
前記モバイルデバイスに設けられると共に第１ソフトウェア製品を保存している第１ストレージモジュールと、
前記電子機器に設けられると共に第２ソフトウェア製品を保存している第２ストレージモジュールと、
を含むワイヤレスネットワーク設定システムにおいて、
前記ワイヤレスネットワークのアクセスポイントは、前記モバイルデバイスではなく、前記第１ソフトウェア製品が実行された時、前記第１ソフトウェア製品は前記モバイルデバイスをコントロールしてワイヤレスネットワークのアクセスポイントモードで稼働することで、Ｗｉ−Ｆｉビーコンパケットをブロードキャストし、前記Ｗｉ−Ｆｉビーコンパケットのサービスセット識別子（Ｓｅｒｖｉｃｅ  Ｓｅｔ  Ｉｄｅｎｔｉｆｉｅｒ、ＳＳＩＤ）欄内の番号に前記コンフィギュレーションデータの一部分があり；前記第２ソフトウェア製品が実行された時、前記第２ソフトウェア製品は前記電子機器に前記Ｗｉ−Ｆｉビーコンパケットを受信させ、かつ前記Ｗｉ−Ｆｉビーコンパケット内に前記コンフィギュレーションデータの一部分が含まれるかどうかを識別させ、また完全な前記コンフィギュレーションデータを得た後、前記コンフィギュレーションデータを利用して無線ＬＡＮ接続を確立することを特徴とする、ワイヤレスネットワーク設定システム。
【請求項２】
前記第１ストレージモジュール及び第２ストレージモジュールのいずれかは、過渡的でないコンピュータ読取可能な記憶媒体であることを特徴とする、請求項１に記載のシステム。
【請求項３】
前記コンフィギュレーションデータは、前記ワイヤレスネットワークのアクセスポイントのサービスセット識別子（Ｓｅｒｖｉｃｅ  Ｓｅｔ  Ｉｄｅｎｔｉｆｉｅｒ、ＳＳＩＤ）を含むことを特徴とする、請求項１に記載のシステム。
【請求項４】
前記コンフィギュレーションデータは、暗号化タイプ（ｓｅｃｕｒｉｔｙ  ｔｙｐｅ）と暗号化キー（ｓｅｃｕｒｉｔｙ  ｋｅｙ）とを含むことを特徴とする、請求項１に記載のシステム。
【請求項５】
前記第１ソフトウェア製品が実行された時、前記第１ソフトウェア製品は前記ユーザーが前記モバイルデバイス上において複数のワイヤレスネットワークのアクセスポイント内から前記電子機器が接続しようとするワイヤレスネットワークのアクセスポイントを選択させることで、ブロードキャストを行うことを容認することを特徴とする、請求項１に記載のシステム。
【請求項６】
前記第１ソフトウェア製品が実行された時、前記電子機器が完全な前記コンフィギュレーションデータを受信するのを確認するまで、又は前記電子機器が前記ワイヤレスネットワークのアクセスポイントに接続されるまで、前記第１ソフトウェア製品は前記モバイルデバイスをコントロールして複数のＷｉ−Ｆｉビーコンパケットを順序通りブロードキャストすることを特徴とする、請求項１に記載のシステム。
【請求項７】
前記第１ソフトウェア製品は、前記コンフィギュレーションデータを複数の部分に分割すると共に各々複数のＷｉ−Ｆｉビーコンパケット内に符号化することを特徴とする、請求項６に記載のシステム。
【請求項８】
前記第２ソフトウェア製品が実行された時、前記第２ソフトウェア製品は受信したＷｉ−Ｆｉビーコンパケット内から前記コンフィギュレーションデータの前記部分をキャプチャーできることを特徴とする、請求項１に記載のシステム。
【請求項９】
前記第２ソフトウェア製品が実行された時、得られた前記コンフィギュレーションデータの複数の部分を組み合わせると共に復号化して完全な前記コンフィギュレーションデータを得ることができることを特徴とする、請求項１に記載のシステム。
【請求項１０】
複数のモバイルデバイスを通じて複数のＷｉ−Ｆｉビーコンパケットを順序通りブロードキャストし、複数の第１ソフトウェア製品が実行された時、前記電子機器が完全な前記コンフィギュレーションデータを受信するのを確認するまで、又は前記電子機器が前記ワイヤレスネットワークのアクセスポイントに接続されるまで、前記第１ソフトウェア製品は各々前記モバイルデバイスをコントロールして、複数のＷｉ−Ｆｉビーコンパケットを順序通りブロードキャストすることを特徴とする、請求項１に記載のシステム。
【考案の詳細な説明】
【技術分野】
【０００１】
本考案は、ワイヤレスネットワーク設定システムに関し、特に、ユーザーにモバイルデバイスを通じて電子機器をワイヤレスネットワークのアクセスポイントに接続させることのできるワイヤレスネットワーク設定システムに関する。
【背景技術】
【０００２】
ワイヤレスネットワーク技術の進歩につれ、ワイヤレスネットワークカメラ（ＩＰ  ｃａｍｅｒａ）或いはワイヤレスネットワークの電気器具のようなワイヤレスネットワークで接続できる機器も徐々に普及してきた。しかしながらワイヤレスネットワーク機器を指定するワイヤレスネットワークのアクセスポイントにどのように接続させるかが、現行でもユーザーにとって便利な方法がない。従来技術において、ビーコンフレーム（ｂｅａｃｏｎ  ｆｒａｍｅ）又はユーザデータグラムプロトコルパケット（Ｕｓｅｒ  Ｄａｔａｇｒａｍ  Ｐｒｏｔｏｃｏｌ  ｐａｃｋｅｔ、ＵＤＰ  ｐａｃｋｅｔ）の内容を変更／置換することで実現し、ハードウェア／ファームウェア専属方式であり、一般ユーザーにとっても比較的不便なもので、なぜなら一般的なユーザーは、モバイルデバイス内のサービスセット識別子（Ｓｅｒｖｉｃｅ  Ｓｅｔ  Ｉｄｅｎｔｉｆｉｅｒ、ＳＳＩＤ）欄の部分しか設定できないからである。
【０００３】
特に、設定待ちのワイヤレスネットワーク機器に入出力モジュール（例えば、スクリーン及びキー）がない時、設定上より不便なものとなっていた。
【考案の概要】
【考案が解決しようとする課題】
【０００４】
そこで、本考案は、これに鑑み、ユーザーにモバイルデバイスを通じて電子機器をワイヤレスネットワークのアクセスポイントに接続させるために用いられ、上記問題点を解決できるワイヤレスネットワーク設定システムを提供する。該ワイヤレスネットワーク設定システムは、ハードウェア／ファームウェアの方式を介して解決することなく、モバイルデバイス側及び電子機器側がいずれも提供できる標準仕様及び作業環境において稼働できる。
【課題を解決するための手段】
【０００５】
一実施態様において、本考案は、ワイヤレスネットワーク設定システムを提供し、ユーザーにモバイルデバイスを通じて電子機器をワイヤレスネットワークのアクセスポイントに接続させるために用いられ、該ワイヤレスネットワークのアクセスポイントがコンフィギュレーションデータを有する。該システムは、第１ストレージモジュールと第２ストレージモジュールとを含む。該第１ストレージモジュールは、該モバイルデバイスに設けられると共に第１ソフトウェア製品を保存している。該第２ストレージモジュールは、該電子機器に設けられると共に第２ソフトウェア製品を保存している。前記ワイヤレスネットワークのアクセスポイントは、該モバイルデバイスではなく、該第１ソフトウェア製品が実行された時、該第１ソフトウェア製品は該モバイルデバイスをコントロールしてワイヤレスネットワークのアクセスポイントモードで稼働することで、Ｗｉ−Ｆｉビーコンパケットをブロードキャストし、該Ｗｉ−Ｆｉビーコンパケットのサービスセット識別子（Ｓｅｒｖｉｃｅ  Ｓｅｔ  Ｉｄｅｎｔｉｆｉｅｒ、ＳＳＩＤ）欄内の番号に該コンフィギュレーションデータの一部分があり；該第２ソフトウェア製品が実行された時、該第２ソフトウェア製品は該電子機器に該Ｗｉ−Ｆｉビーコンパケットを受信させ、かつ該Ｗｉ−Ｆｉビーコンパケット内に該コンフィギュレーションデータの一部分が含まれるかどうかを識別させ、また完全な該コンフィギュレーションデータを得た後、該コンフィギュレーションデータを利用して無線ＬＡＮ接続を確立する。
【０００６】
本考案の一部の具体的実施例において、該第１ストレージモジュール及び第２ストレージモジュールのいずれかは、過渡的でないコンピュータ読取可能な記憶媒体で、例えば磁気コア、半導体、磁化できる表面、薄膜等の物質からなるコンピュータメモリである。
【０００７】
該モバイルデバイスは、該第１ストレージモジュールと電気的に接続し、該第１ソフトウェア製品を実行するための第１プロセッサモジュールと、該第１プロセッサモジュールと電気的に接続する第１通信モジュールとを備える。該電子機器は、該第２ストレージモジュールと電気的に接続し、該第２ソフトウェア製品を実行するための第２プロセッサモジュールと、該第２プロセッサモジュールと電気的に接続する第２通信モジュールと、を備える。該モバイルデバイス及び該電子機器は、該第１通信モジュール及び該第２通信モジュールを通じて通信を行うことができ、例えば、該モバイルデバイスはワイヤレスネットワークのアクセスポイントモードで稼働することで、該第１通信モジュールを通じてＷｉ−Ｆｉビーコンパケットをブロードキャストでき、該電子機器が該第２通信モジュールを通じてＷｉ−Ｆｉビーコンパケットを受信することができる。
【０００８】
本考案の一部の具体的実施例において、該コンフィギュレーションデータは、該ワイヤレスネットワークのアクセスポイントのサービスセット識別子（Ｓｅｒｖｉｃｅ  Ｓｅｔ  Ｉｄｅｎｔｉｆｉｅｒ、ＳＳＩＤ）と暗号化タイプ（ｓｅｃｕｒｉｔｙ  ｔｙｐｅ）と暗号化キー（ｓｅｃｕｒｉｔｙ  ｋｅｙ）とを含む。
【０００９】
本考案の一部の具体的実施例において、該第１ソフトウェア製品が実行された時、該第１ソフトウェア製品は該ユーザーが該モバイルデバイス上において複数のワイヤレスネットワークのアクセスポイント内から該電子機器が接続しようとするワイヤレスネットワークのアクセスポイントを選択させることで、ブロードキャストを行うことを容認する。
【００１０】
本考案の一部の具体的実施例において、該第１ソフトウェア製品が実行された時、該電子機器が完全な該コンフィギュレーションデータを受信するのを確認するまで、又は該電子機器が該ワイヤレスネットワークのアクセスポイントに接続されるまで、該第１ソフトウェア製品は該モバイルデバイスをコントロールして複数のＷｉ−Ｆｉビーコンパケットを順序通りブロードキャストする。
【００１１】
本考案の一部の具体的実施例において、該第１ソフトウェア製品は、該コンフィギュレーションデータを複数の部分に分割すると共に各々複数のＷｉ−Ｆｉビーコンパケット内に符号化する。
【００１２】
本考案の一部の具体的実施例において、該第２ソフトウェア製品が実行された時、該第２ソフトウェア製品は受信したＷｉ−Ｆｉビーコンパケット内から該コンフィギュレーションデータの一部分をキャプチャーでき、また得られた該コンフィギュレーションデータの複数の部分を組み合わせて完全な該コンフィギュレーションデータを得ることができる。
【００１３】
本考案の一部の具体的実施例において、複数のユーザーは各々複数のモバイルデバイスを通じて複数のＷｉ−Ｆｉビーコンパケットを順序通りブロードキャストし、複数の第１ソフトウェア製品が実行された時、該電子機器が完全な該コンフィギュレーションデータを受信するのを確認するまで、又は該電子機器が該ワイヤレスネットワークのアクセスポイントに接続されるまで、それら第１ソフトウェア製品は各々それらモバイルデバイスをコントロールして、複数のＷｉ−Ｆｉビーコンパケットを順序通りブロードキャストする。
【００１４】
別の実施態様において、本考案は、ワイヤレスネットワーク設定方法を提供し、ユーザーにモバイルデバイスを通じて電子機器をワイヤレスネットワークのアクセスポイントに接続させるために用いられ、該ワイヤレスネットワークのアクセスポイントがコンフィギュレーションデータを有する。該方法は、モバイルデバイスをコントロールしてワイヤレスネットワークのアクセスポイントモードで稼働することで、Ｗｉ−Ｆｉビーコンパケットをブロードキャストするステップと、電子機器にＷｉ−Ｆｉビーコンパケットを受信させるステップと、Ｗｉ−Ｆｉビーコンパケット内に接続しようとするコンフィギュレーションデータの一部分が含まれているかどうかを識別させるステップと、含まれていない場合、該Ｗｉ−Ｆｉビーコンパケットを捨てさせるステップと、含まれている場合、受信したＷｉ−Ｆｉビーコンパケット内から該コンフィギュレーションデータの一部分をキャプチャーし、またキャプチャーした該コンフィギュレーションデータの該一部分を保存するステップと、完全な該コンフィギュレーションデータが得られたかどうかを識別するステップと、を含む。
【００１５】
更なる別の実施態様において、本考案は、ワイヤレスネットワーク設定方法を提供し、ユーザーにモバイルデバイスでＷｉ−Ｆｉビーコンパケットをブロードキャストさせるために用いられる。該方法は、モバイルデバイスをコントロールしてワイヤレスネットワークのアクセスポイントモードで稼働するステップと、サービスセット識別子を入力すると共にコンフィギュレーションデータを形成させるステップと、該コンフィギュレーションデータをパケットに分けて複数のＷｉ−Ｆｉビーコンパケットを形成させるステップと、それらＷｉ−Ｆｉビーコンパケットを順序通りブロードキャストさせるステップと、電子機器が完全な該コンフィギュレーションデータを受信したかどうか又はインターネットのアクセスポイントに接続されたかどうかを確認するステップと、を含む。
【００１６】
本考案のシステムは、本考案の方法を実現するために用いらせることができる。
【００１７】
本考案のその他の目的及び利点の一部は、下記の説明内に記述され、或いは本考案の実施例を通じて理解することができる。前記考案内容及び下記実施形態は、僅か例示的及び解釈的説明のみであり、実用新案登録請求の範囲のように本考案を限定するものではないものとする。
【図面の簡単な説明】
【００１８】
【図１】本考案の一具体的実施例に係るワイヤレスネットワーク設定システムの機器を示す模式図である。
【図２】本考案の一具体的実施例内のワイヤレスネットワーク設定システムを利用して電子機器をワイヤレスネットワークのアクセスポイントに接続する方法のフローチャートである。
【図３】本考案の具体的実施例内のモバイルデバイスでＷｉ−Ｆｉビーコンパケットをブロードキャストするフローチャートである。
【図４】本考案の具体的実施例内の電子機器がＷｉ−Ｆｉビーコンパケットを受信すると共に無線ＬＡＮ接続を確立するフローチャートである。
【考案を実施するための形態】
【００１９】
特段の明示がない限り、ここで使用される技術的及び科学的な専門用語は、本考案の属する技術の分野における通常の知識を有する者が一般的に理解する意味の通りである。次に、本明細書で使用する「一」という用語は、特段の明示がない限り、少なくとも１個（１個以上）の数量を指す。この点につき、予め説明しておく。
【００２０】
本考案の開示内容は、ワイヤレスネットワーク設定システム及びワイヤレスネットワーク設定方法が含まれる。実施が可能という前提において、本技術の分野における通常の知識を有する者が本明細書で開示されている内容に基づいて、同一の作用効果を奏する装置・システム・素子又は方法で本考案を実現できる。よって、本考案の実施は、後記の具体的実施例に限れるものではない。本考案のワイヤレスネットワーク設定システムが含む部分素子又は専門用語は、従来技術であるため、該システムの十分な開示及び実施可能性に影響を及ぼさない前提において、従来の素子或いは専門用語の詳細記述を省略する。
【００２１】
一実施態様において、本考案は、ワイヤレスネットワーク設定システムを提供する。図１を参照すると、本考案の一具体的実施例において、ワイヤレスネットワーク設定システム１００は、モバイルデバイス１０２と電子機器１０４とワイヤレスネットワークのアクセスポイント１０６と、を含むことができる。該モバイルデバイス１０２は、スマートフォン、タブレットコンピュータ又はノートブック型コンピュータとすることができるが、これに限定されない。該電子機器１０４は、カメラ、クーラー或いはコンシューマ製品とすることができるが、これに限定されない。該ワイヤレスネットワークのアクセスポイント１０６は、ワイヤレスアクセスポイント、無線親機或いは無線基地局とすることができ、かつ該ワイヤレスネットワークのアクセスポイント１０６が該モバイルデバイス１０２ではない。ワイヤレスネットワーク設定システム１００は、ユーザーが該モバイルデバイス１０２を通じて該電子機器１０４を該ワイヤレスネットワークのアクセスポイント１０６に接続させるために用いられることができる。前記ワイヤレスネットワークのアクセスポイント１０６は、コンフィギュレーションデータを有し、該コンフィギュレーションデータが該ワイヤレスネットワークのアクセスポイントのサービスセット識別子（Ｓｅｒｖｉｃｅ  Ｓｅｔ  Ｉｄｅｎｔｉｆｉｅｒ、ＳＳＩＤ）を含み、また暗号化タイプ（ｓｅｃｕｒｉｔｙ  ｔｙｐｅ）と暗号化キー（ｓｅｃｕｒｉｔｙ  ｋｅｙ）とも含むことができる。暗号化タイプは、例えば認証なし・暗号化なし（Ｏｐｅｎ）、有線同等プライバシー（Ｗｉｒｅｄ  Ｅｑｕｉｖａｌｅｎｔ  Ｐｒｉｖａｃｙ、ＷＥＰ）、Ｗｉ−ｆｉ保護アクセス（Ｗｉ−ｆｉ  Ｐｒｏｔｅｃｔｅｄ  Ａｃｃｅｓｓ、ＷＰＡ）或いはＷｉ−ｆｉ保護アクセス強化（Ｗｉ−ｆｉ  Ｐｒｏｔｅｃｔｅｄ  Ａｃｃｅｓｓ  ２、ＷＰＡ２）であるがこれに限定されない。
【００２２】
本具体的実施例において、該ワイヤレスネットワーク設定システム１００は、第１ストレージモジュール１０２２と第２ストレージモジュール１０４４とを含む。該第１ストレージモジュール１０２２又は該第２ストレージモジュール１０４４は、ソフトウェア或いはハードウェア方式で具現化できる。該第１ストレージモジュール１０２２は、該モバイルデバイス１０２に設けられると共に第１ソフトウェア製品１０２２２を保存している。該第２ストレージモジュール１０４４は、該電子機器１０４に設けられると共に第２ソフトウェア製品１０４４４を保存している。該第１ソフトウェア製品１０２２２及び該第２ソフトウェア製品１０４４４は、モバイルアプリケーション（ｍｏｂｉｌｅ  ａｐｐｌｉｃａｔｉｏｎ、ＡＰＰ）とすることができるが、これに限定されない。また、該第１ストレージモジュール１０２２及び該第２ストレージモジュール１０４４のうちのいずれかは、過渡的でない（ｎｏｎ−ｔｒａｎｓｉｔｏｒｙ）コンピュータ読取可能な記憶媒体である。幾つかの具体的実施例において、該第２ストレージモジュール１０４４は、該第２ソフトウェア製品１０４４４がキャプチャーしたデータ、例えばＷｉ−Ｆｉビーコンパケット内のコンフィギュレーションデータを保存するための記録媒体（図示せず）を更に含む。該記録媒体は、磁気コア、半導体、磁化できる表面、薄膜等の物質からなるコンピュータメモリとすることができ、例えば電気的消去書込み可能な読出し専用メモリ（Ｅｌｅｃｔｒｉｃａｌｌｙ−Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）又はフラッシュメモリ（ｆｌａｓｈ  ｍｅｍｏｒｙ）であるが、これに限定されない。
【００２３】
本考案の具体的実施例において、上記ワイヤレスネットワーク設定システム１００の稼働方法は後述の通りとする。該第１ソフトウェア製品１０２２２が実行された時、該第１ソフトウェア製品１０２２２は該モバイルデバイス１０２をコントロールしてワイヤレスネットワークのアクセスポイントモード（Ａｃｃｅｓｓ  Ｐｏｉｎｔ  Ｍｏｄｅ）で稼働することで、Ｗｉ−Ｆｉビーコンパケットをブロードキャストする。該Ｗｉ−Ｆｉビーコンパケットのサービスセット識別子（Ｓｅｒｖｉｃｅ  Ｓｅｔ  Ｉｄｅｎｔｉｆｉｅｒ、ＳＳＩＤ）欄内の番号に該ワイヤレスネットワークのアクセスポイント１０６の該コンフィギュレーションデータの一部分があり、該コンフィギュレーションデータが、識別のため、特定の形式、例えばＰｒｅｆｉｘ−ｉｎｄｅｘ１／３−ｘｘｘｘｘｘ、Ｐｒｅｆｉｘ−ｉｎｄｅｘ２／３−ｘｘｘｘｘｘを有する。Ｐｒｅｆｉｘ−ｉｎｄｅｘ１／３、Ｐｒｅｆｉｘ−ｉｎｄｅｘ２／３は、ヘッダで、該コンフィギュレーションデータが３つの部分に分割された後のうちの第１部分及び第２部分を示し；ｘｘｘｘｘｘは、該ワイヤレスネットワークのアクセスポイント１０６の該コンフィギュレーションデータの暗号化部分であり、該第２ソフトウェア製品１０４４４で復号化することで、該ワイヤレスネットワークのアクセスポイント１０６のサービスセット識別子（Ｓｅｒｖｉｃｅ  Ｓｅｔ  Ｉｄｅｎｔｉｆｉｅｒ、ＳＳＩＤ）等の情報を得ることができる。ｘｘｘｘｘｘ部分の復号化は、該第２ソフトウェア製品１０４４４が該コンフィギュレーションデータの全ての部分を受信すると共に完全な該コンフィギュレーションデータを組み合わせた後に復号化でき、或いは先に各部分を復号化してから復号化後のそれら部分を完全な該コンフィギュレーションデータとして組み合わせ、かつこれに限定されない。特定の形式は、ここに例示する形式に限定されない。該第２ソフトウェア製品１０４４４が実行された時、該第２ソフトウェア製品１０４４４は該電子機器１０４に該Ｗｉ−Ｆｉビーコンパケットを受信させ、かつ該Ｗｉ−Ｆｉビーコンパケット内に該コンフィギュレーションデータの一部分が含まれているかどうかを識別し、また完全な該コンフィギュレーションデータを得た後、該コンフィギュレーションデータを利用して無線ＬＡＮ（Ｗｉｒｅｌｅｓｓ  ＬＡＮ、ＷＬＡＮ）接続を確立する。
【００２４】
具体的に言うと、該第１ソフトウェア製品１０２２２が実行された時、該第１ソフトウェア製品１０２２２はユーザーが該モバイルデバイス１０２上において複数のワイヤレスネットワークのアクセスポイント内から該電子機器１０４が接続しようとするワイヤレスネットワークのアクセスポイントを選択することで、ブロードキャストすることを容認する。接続しようとするワイヤレスネットワークのアクセスポイントを選択する方式は、ユーザーが該ワイヤレスネットワークのアクセスポイントのサービスセット識別子及び暗号化キーを手動で入力し、又は第１ソフトウェア製品１０２２２が自動的にサーチすると共に接続しようとするワイヤレスネットワークのアクセスポイントを選択できる。本考案の一部の具体的実施例において、第１ソフトウェア製品１０２２２は、該コンフィギュレーションデータを複数の部分に分割すると共に複数のＷｉ−Ｆｉビーコンパケット内に符号化し、また該電子機器１０４が完全な該コンフィギュレーションデータを受信するのを確認するまで、或いは該電子機器１０４が該ワイヤレスネットワークのアクセスポイント１０６に接続されるまで、若しくはユーザーがブロードキャストの停止を決定するまで、該モバイルデバイス１０２をコントロールしてそれらＷｉ−Ｆｉビーコンパケットを順序通りブロードキャストする。本考案の一部の具体的実施例において、複数のモバイルデバイスを通じて複数のＷｉ−Ｆｉビーコンパケットを順序通りブロードキャストでき、複数の第１ソフトウェア製品が実行された時、該電子機器が完全な該コンフィギュレーションデータを受信したのを確認するまで、或いは該電子機器が該ワイヤレスネットワークのアクセスポイントに接続されるまで、それら第１ソフトウェア製品は各々それらモバイルデバイスをコントロールして複数Ｗｉ−Ｆｉビーコンパケットを順序通りブロードキャストする。
【００２５】
詳細に言うと、各々複数のＷｉ−Ｆｉビーコンパケット内に復号化し、また該モバイルデバイス１０２をコントロールしてそれらＷｉ−Ｆｉビーコンパケットを順序通りブロードキャストするのは、メディアアクセス制御情報（Ｍｅｄｉａ  Ａｃｃｅｓｓ  Ｃｏｎｔｒｏｌ、ＭＡＣ）を該コンフィギュレーションデータに組み込むと共に該コンフィギュレーションデータを暗号化し、次に暗号化された該コンフィギュレーションデータをパケットに分けて複数のＷｉ−Ｆｉビーコンパケットを形成することを更に含む。また、前記順序通りブロードキャストは、第Ｎ組のＷｉ−Ｆｉビーコンパケットを順序通りブロードキャストし、次に指定時間にブロードキャストを停止し、次に第Ｎ＋１組のビーコンパケットをブロードキャストし、そして該第Ｎ＋１組のビーコンパケットがそれらＷｉ−Ｆｉビーコンパケット内の最後組であるかどうかを判断し；「はい」の場合、電子機器１０４が完全な該コンフィギュレーションデータを受信したかどうか、又はインターネットアクセスポイントに接続したかどうかを確認し；「いいえ」の場合、第Ｎ＋２組のＷｉ−Ｆｉビーコンパケットをブロードキャストする。ここで、Ｎが任意の正整数で、該指定時間をユーザーが決定或いは第１ソフトウェア製品１０２２２でデフォルトでき、例えば、該指定時間を２秒間とするが、これに限定されない。
【００２６】
電子機器１０４は、該第２ソフトウェア製品１０４４４を通じて少なくとも１回の時間範囲のＷｉ−Ｆｉスキャンを行い、また受信したＷｉ−Ｆｉビーコンパケット内から該コンフィギュレーションデータの該一部分をキャプチャーすると共に該記録媒体に保存する。該時間範囲は、ユーザーが設定又は第２ソフトウェア製品１０４４４でデフォルトでき、例えば、時間範囲を２０秒間に設定するが、これに限定されない。該第２ソフトウェア製品１０４４４は、得られた該コンフィギュレーションデータの複数の部分を組み合わせることで完全な該コンフィギュレーションデータが得られ、また該コンフィギュレーションデータ及び該ワイヤレスネットワークのアクセスポイント１０６を利用して無線ＬＡＮ接続を確立できる。
【００２７】
詳細に言うと、電子機器１０４で該無線ＬＡＮ接続を確立するのは、時間範囲のＷｉ−Ｆｉのスキャンを行い、複数のＷｉ−Ｆｉビーコンパケットを受信することを更に含む。また、キャプチャーした該コンフィギュレーションデータの該一部分は、あらかじめ第２ストレージモジュール１０４４内の記録媒体（図示せず）に保存されることができる。該記録媒体は、磁気コア、半導体、磁化できる表面、薄膜等の物質からなるコンピュータメモリとすることでき、例えば例えば電気的消去書込み可能な読出し専用メモリ（Ｅｌｅｃｔｒｉｃａｌｌｙ−Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）又はフラッシュメモリ（ｆｌａｓｈ  ｍｅｍｏｒｙ）であるが、これに限定されない。また、完全な該コンフィギュレーションデータを得る方式は、復号化キーで完全な該コンフィギュレーションデータに対し復号化を行うと共にコンフィギュレーションデータ内のメディアアクセス制御情報をチェックすることで、該コンフィギュレーションデータ内に含まれ接続しようとするワイヤレスネットワークのアクセスポイント１０６のサービスセット識別子を復元することを更に含むことができる。該サービスセット識別子が該第２ソフトウェア製品１０４４４のチェックを経て接続しようとするサービスセット識別子に適合する場合、無線ＬＡＮ接続を確立し；「不適合」の場合、該電子機器１０４に複数のＷｉ−Ｆｉビーコンパケットを再度受信させる。
【００２８】
別の実施態様において、本考案は、ワイヤレスネットワーク設定方法を提供する。図２は、本考案の一具体的実施例内のワイヤレスネットワーク設定システム１００を利用して電子機器１０４をワイヤレスネットワークのアクセスポイント１０６に接続するフローチャートである。図１及び図２を参照すると、図２に示すように、本具体的実施例において、本考案のワイヤレスネットワーク設定方法は、第１ソフトウェア製品１０２２２を実行し、モバイルデバイス１０２をコントロールしてワイヤレスネットワークのアクセスポイントモードで稼働することで、Ｗｉ−Ｆｉビーコンパケットをブロードキャストするステップ（Ｓ１０２）と、第２ソフトウェア製品１０４４４を実行して、電子機器１０４にＷｉ−Ｆｉビーコンパケットを受信させるステップ（Ｓ１０４）と、Ｗｉ−Ｆｉビーコンパケット内に接続しようとするコンフィギュレーションデータの一部分が含まれているかどうかを識別するステップ（Ｓ１０６）と、「含まれていない」場合、該Ｗｉ−Ｆｉビーコンパケットを捨てると共にステップ（Ｓ１０４）に戻り、該第２ソフトウェア製品１０４４４を引き続き実行させ、電子機器１０４にＷｉ−Ｆｉビーコンパケットを継続して受信させると共に（Ｓ１０６）の判断を繰り返すステップ（Ｓ１０８）と、「含まれる」場合、受信したＷｉ−Ｆｉビーコンパケット内から該コンフィギュレーションデータの一部分をキャプチャーすると共にキャプチャーした該コンフィギュレーションデータの該一部分を保存するステップ（Ｓ１１０）と、完全な該コンフィギュレーションデータが得られたかどうかを識別するステップ（Ｓ１１２）と、「得られた」場合、完全な該コンフィギュレーションデータを利用して無線ＬＡＮ接続を確立する（Ｓ１１２）と、（Ｓ１１４）「得られていない」場合、ステップ（Ｓ１０４）に戻り、該第２ソフトウェア製品１０４４４を引き続き実行させ、電子機器１０４にＷｉ−Ｆｉビーコンパケットを継続して受信させると共に（Ｓ１０６）〜（Ｓ１１２）のステップ及び判断を繰り返すステップと、を含む。
【００２９】
更なる別の実施態様において、本考案は、ワイヤレスネットワーク設定方法を提供する。図３は、本考案の一具体的実施例内のモバイルデバイス１０２でＷｉ−Ｆｉビーコンパケットをブロードキャストするフローチャートである。図１及び図３を参照すると、図３に示すように、本具体的実施例において、本考案のワイヤレスネットワーク設定方法は、第１ソフトウェア製品１０２２２を実行し、モバイルデバイス１０２をコントロールしてワイヤレスネットワークのアクセスポイントモードで稼働するステップ（Ｓ２０２）と、サービスセット識別子を入力すると共にコンフィギュレーションデータを形成させるステップ（Ｓ２０４）と、該コンフィギュレーションデータをパケットに分けることで、複数のＷｉ−Ｆｉビーコンパケットを形成させるステップ（Ｓ２０６）と、それらＷｉ−Ｆｉビーコンパケットを順序通りブロードキャストするステップ（Ｓ２０８）と、電子機器１０４が完全な該コンフィギュレーションデータを受信したかどうか又はインターネットアクセスポイントに接続されたかどうかを確認するステップ（Ｓ２１０）と、「はい」の場合、第１ソフトウェア製品１０２２２がモバイルデバイス１０２をコントロールしてワイヤレスネットワークのアクセスポイントモードを終了し、Ｗｉ−Ｆｉビーコンパケットのブロードキャストを終了し、「いいえ」の場合、ステップ（Ｓ２０８）に戻り、それらＷｉ−Ｆｉビーコンパケットを順序通りブロードキャストすると共に（Ｓ２１０）の判断を繰り返すステップ（Ｓ２１２）と、を含む。
【００３０】
本考案の一部の具体的実施例において、ステップ（Ｓ２０６）は、メディアアクセス制御情報（Ｍｅｄｉａ  Ａｃｃｅｓｓ  Ｃｏｎｔｒｏｌ、ＭＡＣ）を該コンフィギュレーションデータに組み込むと共に該コンフィギュレーションデータを暗号化し、次に暗号化された該コンフィギュレーションデータをパケットに分けて複数のＷｉ−Ｆｉビーコンパケットを形成することを更に含むことができる。またステップ（Ｓ２０８）は、以下のステップを含むことができる：第Ｎ組のＷｉ−Ｆｉビーコンパケットをブロードキャストするステップ（Ｓ２０８２）と、指定時間にブロードキャストを停止する（Ｓ２０８４）と、第Ｎ＋１組のビーコンパケットをブロードキャストするステップ（Ｓ２０８６）と、該第Ｎ＋１組のビーコンパケットがそれらＷｉ−Ｆｉビーコンパケット内の最後組であるかどうかを判断し、「はい」の場合、ステップ（Ｓ２１０）に進み、「いいえ」の場合、第Ｎ＋２組のＷｉ−Ｆｉビーコンパケットをブロードキャストするステップ（Ｓ２０８８）と、を含む。Ｎは、任意の正整数であり、該指定時間はユーザーが決定又は第１ソフトウェア製品１０２２２でデフォルトでき、例えば該指定時間が2秒であるがこれに限定されない。
【００３１】
また一実施態様において、本考案は、ワイヤレスネットワーク設定方法を提供する。図４は、本考案の一具体的実施例内の電子機器１０４がＷｉ−Ｆｉビーコンパケットを受信すると共に無線ＬＡＮ接続を確立するフローチャートである。図１及び図４を参照すると、図４に示すように、本具体的実施例において、本考案のワイヤレスネットワーク設定方法は、第２ソフトウェア製品１０４４４を実行して、電子機器１０４に複数のＷｉ−Ｆｉビーコンパケットを受信させるステップ（Ｓ３０２）と、順序通り複数のＷｉ−Ｆｉビーコンパケットに接続しようとするコンフィギュレーションデータに適合する少なくとも一部分が含まれているかどうかを識別し、該コンフィギュレーションデータの一部分をキャプチャーし、かつ保存するステップ（Ｓ３０４）と、完全な該コンフィギュレーションデータが得られたかどうかを確認し、「得られていない」場合、ステップ（Ｓ３０２）に戻り該第２ソフトウェア製品１０４４４を引き続き実行させ、電子機器１０４に複数のＷｉ−Ｆｉビーコンパケットを再度受信させるステップ（Ｓ３０６）と、「得られている」場合、該第２ソフトウェア製品が得られた該コンフィギュレーションデータの複数の部分を組み合わせると共に復号化して完全な該コンフィギュレーションデータを得るステップ（Ｓ３０８）と、該コンフィギュレーションデータ内に含まれる接続しようとするワイヤレスネットワークのアクセスポイント１０６のサービスセット識別子を復元させると共に無線ＬＡＮ接続を確立する（Ｓ３１０）と、を含む。
【００３２】
本考案の一部の具体的実施例において、ステップ（Ｓ３０２）は、少なくとも１回の一つの時間範囲のＷｉ−Ｆｉスキャンを行い、複数のＷｉ−Ｆｉビーコンパケットを受信することを更に含むことができる。前記時間範囲は、ユーザーが設定或いは第２ソフトウェア製品１０４４４でデフォルトすることができ、例えば時間範囲を２０秒に設定するがこれに限定されない。また、ステップ（Ｓ３０４）においてキャプチャーした該コンフィギュレーションデータの該部分を第２ストレージモジュール１０４４内の記録媒体（図示せず）に予め保存させておくことができる。該記録媒体は、磁気コア、半導体、磁化できる表面、薄膜等の物質からなるコンピュータメモリとすることができ、例えば例えば電気的消去書込み可能な読出し専用メモリ（Ｅｌｅｃｔｒｉｃａｌｌｙ−Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）又はフラッシュメモリ（ｆｌａｓｈ  ｍｅｍｏｒｙ）であるが、これに限定されない。また、ステップ（Ｓ３１０）は、復号化キーで完全な該コンフィギュレーションデータに対し復号化を行うと共にコンフィギュレーションデータ内のメディアアクセス制御情報をチェックすることで、該コンフィギュレーションデータ内に含まれ接続しようとするワイヤレスネットワークのアクセスポイント１０６のサービスセット識別子を復元することを更に含むことができる。該サービスセット識別子が該第２ソフトウェア製品１０４４４のチェックを経て接続しようとするサービスセット識別子に適合する場合、無線ＬＡＮ接続を確立し；「不適合」の場合、ステップ（Ｓ３０２）に戻り該電子機器１０４に複数のＷｉ−Ｆｉビーコンパケットを再度受信させる。
【００３３】
具体的に言うと、本考案に係る方法は、ハードウェア技術、ソフトウェア技術又はその組み合わせを通じて実現できる。例えば、前記方法は、本考案に係るワイヤレスネットワーク設定システムを通じて実現できる。よって、前に述べた本考案に係るシステムの実施形態も本考案に係る方法に運用されることもできる。ただし留意すべき点は、本考案に係る方法は、本考案に係るシステムを通じて実現することに限られるものではない。
【００３４】
考案の詳細な説明の項においてなされた具体的実施例は、あくまでも本考案の特徴及び精神を明らかにするものであって、そのような具体例にのみ限定して狭義に解釈されるべきものではない。本発明の精神と領域を脱しない均等の範囲内で種々の改良変更をなし得ることは本考案の実用新案登録請求の範囲内に含めるものであるのが勿論である。
【符号の説明】
【００３５】
１００  ワイヤレスネットワーク設定システム
１０２  モバイルデバイス
１０４  電子機器
１０６  ワイヤレスネットワークのアクセスポイント
１０２２  第１ストレージモジュール
１０４４  第２ストレージモジュール
１０２２２  第１ソフトウェア製品
１０４４４  第２ソフトウェア製品
Ｓ１０２〜Ｓ３１０、Ｓ２０８２〜Ｓ２０８８  ステップ流れ
【図１】
0003217133.tif 000003
【図２】
0003217133.tif 000004
【図３】
0003217133.tif 000005
【図４】
0003217133.tif 000006